(57)【要約】【課題】筆記時の筆圧の大小によるインキ吐出量可変性能を十分に満足する適正なインキ吐出性が確実に得られ、しかも、長期にわたり適正なインキ吐出性が維持できるボールペンを提供する。【解決手段】ボール受け座が、筒体３の内壁に形成された前後方向に移動不能の第１のボール受け座６と、第１のボール受け座６より径方向内方に配置され、第１のボール受け座６に対して前後方向に移動可能に構成された第２のボール受け座７とを備える。第２のボール受け座７が、筒体３内に前後方向に移動可能に収容された可動部材８の前端部に形成される。可動部材８を後退させない小さい筆圧で筆記した際には、ボール４が、第２のボール受け座７に支持され且つ第１のボール受け座６と非接触状態に構成される。可動部材を弾発体の前方付勢に抗して後退させる大きい筆圧で筆記した際には、ボール４が第１のボール受け座６及び第２のボール受け座７の両者に支持される。【選択図】  図２
2019181810.tif 000002
【特許請求の範囲】
【請求項１】
筒体の前端に形成された内向きの前端縁部と、前記前端縁部の後方の筒体内に設けられたボール受け座と、前記前端縁部と前記ボール受け座との間で回転可能に抱持されるボールと、を備え、
筆記時の筆圧により前記ボール受け座が後退しインキ吐出量可変に構成されたボールペンであって、
前記ボール受け座が、
前記筒体の内壁に形成された前後方向に移動不能の第１のボール受け座と、
前記第１のボール受け座より径方向内方に配置され、前記第１のボール受け座に対して前後方向に移動可能に構成された第２のボール受け座と、を備え、
前記第２のボール受け座が、前記筒体内に前後方向に移動可能に収容された可動部材の前端部に形成され、前記可動部材が弾発体により前方に常時付勢され、
前記可動部材を後退させない小さい筆圧で筆記した際には、前記ボールが、第２のボール受け座に支持され且つ第１のボール受け座と非接触状態に構成されてなり、
前記可動部材を弾発体の前方付勢に抗して後退させる大きい筆圧で筆記した際には、前記ボールが第１のボール受け座及び第２のボール受け座の両者に支持されてなることを特徴とするボールペン。
【請求項２】
前記第１のボール受け座の後方の筒体の内壁に、前記可動部材の前方移動を規制する規制壁部が形成される請求項１に記載のボールペン。
【請求項３】
前記第１のボール受け座の径方向内方に同心円状に前記第２のボール受け座が前後方向に移動可能に配置され、前記第２のボール受け座のボール接触部分の直径が、前記第１のボール受け座のボール接触部分の直径より小さく設定される請求項１または２に記載のボールペン。
【請求項４】
非筆記状態において、前記第２のボール受け座のボール接触部分が、前記第１のボール受け座のボール接触部分より後方に配置される請求項１乃至３の何れかに記載のボールペン。
【請求項５】
非筆記状態において、前記第２のボール受け座のボール接触部分が、前記第１のボール受け座のボール接触部分より前方に配置される請求項１乃至３の何れかに記載のボールペン。
【発明の詳細な説明】
【技術分野】
【０００１】
本発明は、ボールペンに関する。
【背景技術】
【０００２】
従来、特許文献１には、ボール受け座が形成された押圧部材が前後方向に移動可能に収容され、前記押圧部材の前方移動を規制する第１の規制壁部と、前記押圧部材の後方移動を規制する第２の規制壁部とを備え、強い筆圧と弱い筆圧で筆記する場合のインキ吐出量を変化させることが可能なボールペンが開示されている。
【先行技術文献】
【特許文献】
【０００３】
【特許文献１】特開２０１７−１８５７７４号
【発明の概要】
【発明が解決しようとする課題】
【０００４】
前記特許文献１のボールペンは、第１の規制壁部と第２の規制壁部との間での押圧部材の前後方向の移動可能量を精度よく一定に形成することは困難であるため、インキ吐出量の可変範囲に製造ばらつきが生じ、適正なインキ吐出性が確実に得られず、筆記時の筆圧の大小によるインキ吐出量可変性能を十分に満足できないおそれがある。
【０００５】
また、前記特許文献１のボールペンは、筆記時は、筆圧の大小にかかわらず、ボール受け座の同一箇所にボールが接触するため、ボールとの接触によりボール受け座が磨耗しやすくなり、ボールの前後方向の移動可能量（即ちインキ吐出性）を長期にわたり一定に維持できないおそれがある。
【０００６】
本発明は、前記従来の問題点を解決するものであって、簡易な構造でインキ吐出量の可変範囲を精度よく所望範囲に一定に設定でき、筆記時の筆圧の大小によるインキ吐出量可変性能を十分に満足する適正なインキ吐出性が確実に得られ、しかも、ボール受け座の磨耗を抑えることができ、長期にわたり適正なインキ吐出性が維持できるボールペンを提供しようとするものである。
【０００７】
尚、本発明で、「前」とは、ペン先ボール側を指し、「後」とは、その反対側を指す。
【課題を解決するための手段】
【０００８】
本願の第１の発明は、筒体３の前端に形成された内向きの前端縁部５と、前記前端縁部５の後方の筒体３内に設けられたボール受け座と、前記前端縁部５と前記ボール受け座との間で回転可能に抱持されるボール４と、を備え、筆記時の筆圧により前記ボール受け座が後退しインキ吐出量可変に構成されたボールペンであって、前記ボール受け座が、前記筒体３の内壁に形成された前後方向に移動不能の第１のボール受け座６と、前記第１のボール受け座６より径方向内方に配置され、前記第１のボール受け座６に対して前後方向に移動可能に構成された第２のボール受け座７と、を備え、前記第２のボール受け座７が、前記筒体３内に前後方向に移動可能に収容された可動部材８の前端部に形成され、前記可動部材８が弾発体９により前方に常時付勢され、前記可動部材８を後退させない小さい筆圧で筆記した際には、前記ボール４が、第２のボール受け座７に支持され且つ第１のボール受け座６と非接触状態に構成されてなり、前記可動部材８を弾発体の前方付勢に抗して後退させる大きい筆圧で筆記した際には、前記ボールが第１のボール受け座６及び第２のボール受け座７の両者に支持されてなることを要件とする。
【０００９】
前記第１の発明のボールペン１は、比較的小さい筆圧で筆記した際（即ち、可動部材８を後退させない程度の比較的小さい筆圧で筆記した際）には、ボール４が、第２のボール受け座７に支持され且つ第１のボール受け座６と非接触状態に構成されてなり、比較的大きい筆圧で筆記した際（即ち、可動部材８を弾発体の前方付勢に抗して後退させる程度の比較的大きな筆圧で筆記した際）には、ボール４が第１のボール受け座６に支持されボール４の後方移動が阻止されるため、可動部材８の後方移動を直接に規制する構成が不要となる。それにより、簡易な構造で、ボール４の前後方向の最大移動可能量を精度よく一定に形成でき、筆圧の大小によるインキ吐出量の可変範囲を精度よく所望範囲に一定に設定できる。その結果、筆記時の筆圧の大小によるインキ吐出量可変性能を十分に満足する適正なインキ吐出性が確実に得られる。
【００１０】
前記第１の発明のボールペンは、ボール受け座が、第１のボール受け座６と第２のボール受け座７とを備えることにより、筆記時のボール４との接触によるボール受け座の磨耗が抑えられ、長期にわたり、適正なボール４の前後方向の移動可能量が維持できる。その結果、長期にわたり、筆記時の筆圧の大小によるインキ吐出量可変性能を十分に満足する適正なインキ吐出性が維持できる。
【００１１】
本願の第２の発明は、前記第１の発明のボールペンにおいて、前記第１のボール受け座６の後方の筒体３の内壁に、前記可動部材８の前方移動を規制する規制壁部３１ａが形成されることを要件とする。
【００１２】
前記第２の発明のボールペン１は、第１のボール受け座６の後方の筒体３の内壁に、可動部材８の前方移動を規制する規制壁部３１ａが形成されることにより、可動部材８の前端部（即ち第２のボール受け座７）を、第１のボール受け座６に対する前後方向の適正位置に確実に配置することができ、比較的小さい筆圧で筆記した際のインキ吐出量を精度よく一定に設定できる。
【００１３】
本願の第３の発明は、前記第１または第２の発明のボールペンにおいて、前記第１のボール受け座６の径方向内方に同心円状に前記第２のボール受け座７が前後方向に移動可能に配置され、前記第２のボール受け座７のボール接触部分の直径が、前記第１のボール受け座６のボール接触部分の直径より小さく設定されることを要件とする。
【００１４】
前記第３の発明のボールペン１は、第１のボール受け座６の径方向内方に同心円状に第２のボール受け座７が前後方向に移動可能に配置され、第２のボール受け座７のボール接触部分の直径が、第１のボール受け座６のボール接触部分の直径より小さく設定されることにより、比較的小さい筆圧で筆記した場合において、ボール４が第２のボール受け座７のみと接触し、ボール４とボール受け座との接触量を比較的大きな筆圧で筆記した場合に比べて小さくでき、その結果、円滑なボール４の回転と安定したボール受け座との接触状態（即ち滑らかな筆記感）が得られる。なお、本発明で、前記第１のボール受け座６のボール接触部分とは、ボール４が第１のボール受け座６に周状に支持された状態におけるボール４と第１のボール受け座６との接触部分をいう。前記第２のボール受け座７のボール接触部分とは、ボール４が第２のボール受け座７に周状に支持された状態におけるボール４と第２のボール受け座７との接触部分をいう。また、前記第１のボール受け座６のボール接触部分の直径は、ボール４と第１のボール受け座６との接触部分の直径の最大値であり、インキ誘導溝等によりボール４と第１のボール受け座６との接触部分が周状に分散配置される場合、その接触部分の外接円の直径をいう。前記第２のボール受け座７の接触部分の直径は、ボール４と第２のボール受け座７との接触部分の直径の最大値であり、インキ誘導溝等によりボール４と第２のボール受け座７とのボール接触部分が周状に分散配置される場合、その接触部分の外接円の直径をいう。
【００１５】
本願の第４の発明のボールペン１は、前記第１乃至第３の何れかの発明のボールペンにおいて、非筆記状態において、前記第２のボール受け座７のボール接触部分が、前記第１のボール受け座６のボール接触部分より後方に配置されることを要件とする。
【００１６】
前記第４の発明のボールペン１は、非筆記状態（即ち、可動部材８が後退していない状態）において、前記第２のボール受け座７のボール接触部分が、前記第１のボール受け座６のボール接触部分より後方に配置されることにより、ボール４の前後方向の移動可能量（即ちインキ吐出量の可変範囲）を小さい範囲で精度よく形成できる。
【００１７】
本願の第５の発明のボールペン１は、前記第１乃至第３の何れかの発明のボールペンにおいて、非筆記状態において、前記第２のボール受け座７のボール接触部分が、前記第１のボール受け座６のボール接触部分より前方に配置されることを要件とする。
【００１８】
前記第５の発明のボールペン１は、非筆記状態（即ち、可動部材８が後退していない状態）において、前記第２のボール受け座７のボール接触部分が、前記第１のボール受け座６のボール接触部分より前方に配置されることにより、ボール４の前後方向の移動可能量（即ちインキ吐出量の可変範囲）を大きい範囲で精度よく形成できる。
【００１９】
・第１のボール受け座、第２のボール受け座
前記第１ボール受け座６は、筒体３の内壁に固定され、前後方向に移動不能に形成される。
前記第１のボール受け座６は、例えば、筒体３の内壁に一体に形成される構成、または、筒体３に内壁に固着される別部材による構成が挙げられる。前記第２のボール受け座７は、例えば、可動部材８の前端部に一体に形成される構成、または、可動部材８の前端部に固着される別部材による構成が挙げられる。前記第１のボール受け座６及び前記第２のボール受け座７には、軸心から放射状に延びるインキ誘導溝が一体に形成されることが有効である。第１のボール受け座６のボール接触部分の直径は、ボール４の直径の５５％以上７５％以下の範囲が好ましい。第２のボール受け座７のボール接触部分の直径は、ボール４の直径の３５％以上５５％未満の範囲が好ましい。
【００２０】
・筒体
筒体３の材料は、金属（例えば、ステンレス鋼、黄銅等）または合成樹脂（例えばポリアセタール樹脂）が挙げられる。筒体３は、材料が金属の場合、切削加工、塑性加工により得られ、材料が合成樹脂の場合、射出成形により得られる。
【００２１】
・可動部材
可動部材８の材料は、金属（例えば、ステンレス鋼、黄銅等）または合成樹脂（例えばポリアセタール樹脂）が挙げられる。可動部材８は、材料が金属の場合、切削加工、塑性加工により得られ、材料が合成樹脂の場合、射出成形により得られる。
【００２２】
・弾発体
可動部材８を常時前方に付勢する弾発体９は、弾発力を有するものであればよく、例えば、コイルスプリング、弾性を有する合成樹脂、合成ゴム、または合成樹脂のエラストマー等が挙げられる。また、前記可動部材８を常時前方に付勢する弾発体９の他に、ボール４を前方に常時付勢する弾発体を設けることも可能である。その場合、非筆記時、ボール４と前端縁部５内面が密接され、筒体３前端からのインキ漏出を防止できる。
【００２３】
・ボール
前記ボール４の材質は特に限定されないが、一般に金属またはセラミックスからなるものが用いられる。前記ボール４は、例えば、炭化タングステン、酸化ジルコニウム、酸化アルミニウム、酸化ケイ素、炭化ケイ素などのセラミックスやステンレス鋼などの金属が用いられる。また、前記ボール４は、セラミックスと金属性結合材とからなる超硬合金を用いてもよい。このような超硬合金としては、タングステンカーバイトと、コバルトまたはニッケルなどの金属性結合材とからなるものが知られている。ボール４は、直径０．３ｍｍ〜２．０ｍｍの範囲内のものが採用される。ボール４は、例えば、直径０．５ｍｍ、０．６ｍｍ、０．７ｍｍ、１．０ｍｍのものが採用される。
【発明の効果】
【００２４】
本発明のボールペンは、簡易な構造でインキ吐出量の可変範囲を精度よく所望範囲に一定に設定でき、筆記時の筆圧の大小によるインキ吐出量可変性能を十分に満足する適正なインキ吐出性が確実に得られ、しかも、ボール受け座の磨耗を抑えることができ、長期にわたり適正なインキ吐出性が維持できる。
【図面の簡単な説明】
【００２５】
【図１】本発明の第１の実施の形態のボールペンの要部縦断面図である。
【図２】図１のボールペンの非筆記状態を示す要部拡大縦断面図である。
【図３】図１のボールペンの比較的弱い筆圧で筆記した状態を示す要部拡大縦断面図である。
【図４】図１のボールペンの比較的強い筆圧で筆記した状態を示す要部拡大縦断面図である。
【図５】本発明の第２の実施の形態のボールペンの要部縦断面図である。
【図６】図５のボールペンの非筆記状態を示す要部拡大縦断面図である。
【図７】図５のボールペンの比較的弱い筆圧で筆記した状態を示す要部拡大縦断面図である。
【図８】図５のボールペンの比較的強い筆圧で筆記した状態を示す要部拡大縦断面図である。
【発明を実施するための形態】
【００２６】
＜第１の実施の形態＞
本発明の第１の実施の形態を図１乃至図４に示す。
【００２７】
・ボールペン
本実施の形態のボールペン１は、前端部にボール４が回転可能に抱持されたボールペンチップ２と、該ボールペンチップ２の後部がその前部に圧入固着されたホルダー１１と、該ホルダー１１の後部がその前端開口に圧入固着されたインキ収容筒１２と、前記ボールペンチップ２内部に収容配置された可動部材８と、該可動部材８を前方に付勢する弾発体９とを備える。
【００２８】
・ボールペンチップ
ボールペンチップ２は、筒体３と、該筒体３の前端部に回転可能に抱持されるボール４とを備える。筒体３の前端には内向きの前端縁部５が一体に形成される。前端縁部５より後方の筒体３内壁には、第１のボール受け座６が一体に形成される。第１のボール受け座６は筒体３に対して前後方向に移動不能に構成される。前端縁部５と第１のボール受け座６との間でボール４が回転可能に抱持される。筒体３は、金属製（例えばステンレス鋼製、黄銅製等）、または合成樹脂製（例えばボリアセタール樹脂製）である。
【００２９】
・前端縁部、第１のボール受け座
前端縁部５より後方の筒体３の内壁に環状凸部３１が一体に形成される。環状凸部３１の前面には、前方に向かうに従って拡径する円錐面状の傾斜面からなる第１のボール受け座６が一体に形成される。前記環状凸部３１の後面には、後方に向かうに従って拡径する円錐面状の傾斜面からなる後ろ向きの段形状の規制壁部３１ａが一体に形成される。環状凸部３１の径方向内方には前後方向に貫通する内孔３１ｂが形成される。
【００３０】
前端縁部５及び第１のボール受け座６（環状凸部３１）は、筒体３の内壁に一体に形成される。筒体３が、金属製の場合、前端縁部５及び第１のボール受け座６（環状凸部３１）は、切削加工及び／または押圧変形により得られる。筒体３が、合成樹脂の場合、前端縁部５及び第１のボール受け座６（環状凸部３１）は、射出成形により得られる。第１のボール受け座６は、金属製はたは合成樹脂製の筒体３の内壁に一体に形成される構成の他、金属製はたは合成樹脂製の筒体３と別部材からなる部材（金属製はたは合成樹脂製の部材）を筒体３の内壁に固定して形成する構成でもよい。第１のボール受け座６（環状凸部３１の前端面）に、軸心から径方向外方に放射状に延びるインキ誘導溝が一体に形成される構成でもよい。前記インキ誘導溝は、環状凸部３１に前後方向に貫通する構成でもよい。
【００３１】
・可動部材
筒体３の内部のボール４の後方には、前後方向に移動可能に可動部材８が収容される。可動部材８は、前後方向に中心孔８１が貫設された筒状体であり、小径部８２と、該小径部８２より後方に一体に形成される大径部８３とを備え、小径部８２と大径部８３との間に後方に向かうに従い拡径する円錐面状の傾斜面からなる前向きの段部８４が一体に形成される。可動部材８は、弾発体９によって前方に付勢される。非筆記状態において、可動部材８の段部８４が環状凸部３１の後面（第１のボール受け座６後方）の規制壁部３１ａに当接される。小径部８２が、環状凸部３１の内孔３１ｂに前後方向に摺動可能に配置される。大径部８３が、環状凸部３１後方の筒体３内壁に前後方向に摺動可能に配置される。可動部材８の中心孔８１を通ってインキがボール４に供給される。
【００３２】
可動部材８は、金属（例えばステンレス鋼）または合成樹脂（例えばポリアセタール樹脂）により形成される。
【００３３】
・第２のボール受け座
可動部材８の前端面には、前方に向かうに従って拡径する円錐面状の傾斜面からなる第２のボール受け座７が一体に形成される。非筆記状態において、第２のボール受け座７と第１のボール受け座６とは一つの傾斜面により連続的に接続される。第１のボール受け座６の円錐面の軸線に対する傾斜角度と、第２のボール受け座７の円錐面の傾斜角度は略同一に形成される。非筆記状態において、第２のボール受け座７のボール接触部分が、第１のボール受け座６のボール接触部分よりわずかに後方に配置される。それにより、ボール４の前後方向の移動可能量（即ちインキ吐出量の可変範囲）を比較的小さい範囲で精度よく形成できる。第２のボール受け座７（可動部材８の前端面）に、軸心から径方向外方に放射状に延びるインキ誘導溝が一体に形成される構成でもよい。前記インキ誘導溝は、可動部材８に前後方向に貫通する構成でもよい。
【００３４】
第１のボール受け座６の径方向内方には、同心円状に第２のボール受け座７が配置される。
第１のボール受け座６のボール接触部分の直径は、第２のボール受け座７のボール接触部分の直径より大きく設定される。即ち、第２のボール受け座７のボール接触部分の直径は、第１のボール受け座６のボール接触部分の直径より小さく設定される。
【００３５】
・弾発体
弾発体９は、圧縮コイルスプリングからなる。弾発体９の前端は、可動部材８の後端に当接され、弾発体９の後端は、ホルダー１１の内壁に形成された係止壁部１１ａに係止される。弾発体９の前端部及び後端部は、密着巻部となる。弾発体９の前端部は、筒体３内面の形状に沿った先細状に形成される。なお、係止壁部１１ａは筒体３の内壁に形成することもできる。
【００３６】
非筆記状態において、弾発体９の弾発力は７０グラム〜９０グラムに設定される。筆記時の紙面に対する筆圧が前記弾発体９の弾発力より小さい場合、ボール４が、第１のボール受け座６に非接触状態且つ第２のボール受け座７に接触状態となる。筆記時の紙面に対する筆圧が前記弾発体９の弾発力より大きい場合、ボール４が、第１のボール受け座６及び第２のボール受け座７の両者に接触状態となる。
【００３７】
・非筆記状態（図２）
非筆記状態において、前端縁部５と第２のボール受け座７との間で、ボール４が前後方向に移動可能である。また、この状態において、可動部材８に対する弾発体９の前方付勢によって可動部材８（大径部８３前面の段部８４）が筒体３内壁の規制壁部３１ａに当接されている。
【００３８】
・比較的弱い筆圧で筆記した場合（図３）
比較的弱い筆圧（弾発体９の弾発力より小さい筆圧：例えば５０グラム）で筆記したときボール４が、第１のボール受け座６に接触せず、第２のボール受け座７のみで支持される。また、この状態において、可動部材８は非筆記状態から後退せず、可動部材８に対する弾発体９の前方付勢によって可動部材８（大径部８３前面の段部８４）が筒体３内壁の規制壁部３１ａに当接されている。このとき、ボール４が前端縁部５から後方にわずかに離間し、ボール４と前端縁部５との間のわずかの隙間から少量のインキが吐出され、細幅の筆跡が得られる。なお、この状態において、ボール４が前端縁部５から離間するボール４の後方への移動量は、ボール直径の２％〜３％に設定される。
【００３９】
・比較的強い筆圧で筆記した場合（図４）
比較的強い筆圧（弾発体９の弾発力より大きい筆圧：例えば１００グラムの筆圧）で筆記したとき、弾発体９の前方付勢に抗してボール４及び可動部材８が後方に移動され、第１のボール受け座６及び第２のボール受け座７の両者でボール４が支持される。また、この状態において、可動部材８（大径部８３前面の段部８４）と筒体３内壁の規制壁部３１ａとが離間される。このとき、ボール４が前端縁部５から後方に大きく離間し、ボール４と前端縁部５との間の大きな隙間からインキが多量に吐出され、太幅の筆跡が得られる。なお、この状態において、ボール４が前端縁部５から離間するボール４の後方への移動量は、ボール直径の５％〜１０％に設定される。
【００４０】
本実施の形態のボールペン１は、比較的強い筆圧で筆記した際にボールが第１のボール受け座６に支持されボールの後方移動が阻止されるため、可動部材８の後方移動を直接に規制する構成が不要となる。それにより、簡易な構造で、ボール４の前後方向の最大移動可能量を精度よく一定に形成することができ、筆圧の大小によるインキ吐出量の可変範囲を精度よく所望範囲に一定に設定できる。その結果、筆記時の筆圧の大小によるインキ吐出量可変性能を十分に満足する適正なインキ吐出性が確実に得られる。
【００４１】
本実施の形態のボールペン１は、ボール受け座が、第１のボール受け座６と第２のボール受け座７とを備えることにより、筆記時のボール４との接触によるボール受け座の磨耗が抑えられ、長期にわたり、適正なボール４の前後方向の移動可能量が維持できる。その結果、長期にわたり、筆記時の筆圧の大小によるインキ吐出量可変性能を十分に満足する適正なインキ吐出性が維持できる。
【００４２】
本実施の形態のボールペン１は、第１のボール受け座６の後方の筒体３の内壁に、可動部材８の前方移動を規制する規制壁部３１ａが形成されることにより、可動部材８の前端部（即ち第２のボール受け座７）を、第１のボール受け座６に対する前後方向の適正位置に確実に配置することができる。
【００４３】
本実施の形態のボールペン１は、第１のボール受け座６の径方向内方に同心円状に第２のボール受け座７が前後方向に移動可能に配置され、第２のボール受け座７のボール接触部分の直径が、第１のボール受け座６のボール接触部分の直径より小さく設定されることにより、比較的小さい筆圧で筆記した場合において、ボール４が第２のボール受け座７のみと接触し、ボール４とボール受け座との接触量を比較的大きな筆圧で筆記した場合に比べて小さくでき、その結果、円滑なボール４の回転と安定したボール受け座との接触状態（即ち滑らかな筆記感）が得られる。
【００４４】
本実施の形態のボールペン１は、非筆記状態において、第２のボール受け座７のボール接触部分が、第１のボール受け座６のボール接触部分より後方に配置されることにより、ボール４の前後方向の移動可能量（即ちインキ吐出量の可変範囲）を比較的小さい範囲で精度よく形成できる。
【００４５】
＜第２の実施の形態＞
本発明の第２の実施の形態を図５乃至図８に示す。
【００４６】
・ボールペン
本実施の形態のボールペン１は、前端部にボール４が回転可能に抱持されたボールペンチップ２と、該ボールペンチップ２の後部がその前部に圧入固着されたホルダー１１と、該ホルダー１１の後部がその前端開口に圧入固着されたインキ収容筒１２と、前記ボールペンチップ２内部に収容配置された可動部材８と、該可動部材８を前方に付勢する弾発体９とを備える。
【００４７】
・ボールペンチップ
ボールペンチップ２は、筒体３と、該筒体３の前端部に回転可能に抱持されるボール４とを備える。筒体３の前端には内向きの前端縁部５が一体に形成される。前端縁部５より後方の筒体３内壁には、第１のボール受け座６が一体に形成される。第１のボール受け座６は筒体３に対して前後方向に移動不能に構成される。前端縁部５と第１のボール受け座６との間でボール４が回転可能に抱持される。筒体３は、金属製（例えばステンレス鋼製、黄銅製等）、または合成樹脂製（例えばボリアセタール樹脂製）である。
【００４８】
・前端縁部、第１のボール受け座
前端縁部５より後方の筒体３の内壁に環状凸部３１が一体に形成される。環状凸部３１の前面には、前方に向かうに従って拡径する円錐面状の傾斜面からなる第１のボール受け座６が一体に形成される。前記環状凸部３１の後面には、後方に向かうに従って拡径する円錐面状の傾斜面からなる後ろ向きの段形状の規制壁部３１ａが一体に形成される。環状凸部３１の径方向内方には前後方向に貫通する内孔３１ｂが形成される。
【００４９】
前端縁部５及び第１のボール受け座６（環状凸部３１）は、筒体３の内壁に一体に形成される。筒体３が、金属製の場合、前端縁部５及び第１のボール受け座６（環状凸部３１）は、切削加工及び／または押圧変形により得られる。筒体３が、合成樹脂の場合、前端縁部５及び第１のボール受け座６（環状凸部３１）は、射出成形により得られる。第１のボール受け座６は、金属製はたは合成樹脂製の筒体３の内壁に一体に形成される構成の他、金属製はたは合成樹脂製の筒体３と別部材からなる部材（金属製はたは合成樹脂製の部材）を筒体３の内壁に固定して形成する構成でもよい。第１のボール受け座６（環状凸部３１の前端面）に、軸心から径方向外方に放射状に延びるインキ誘導溝が一体に形成される構成でもよい。前記インキ誘導溝は、環状凸部３１に前後方向に貫通する構成でもよい。
【００５０】
・可動部材
筒体３内部のボール４の後方には、前後方向に移動可能に可動部材８が収容される。可動部材８は、前後方向に中心孔８１が貫設された筒状体であり、小径部８２と、該小径部８２より後方に一体に形成される大径部８３とを備え、小径部８２と大径部８３との間に軸線に対して垂直面よりなる前向きの段部８４が一体に形成される。可動部材８は、弾発体９によって前方に付勢される。非筆記状態において、可動部材８の段部８４が環状凸部３１の後面（第１のボール受け座６後方）の規制壁部３１ａに当接される。小径部８２が、環状凸部３１の内孔３１ｂに前後方向に摺動可能に配置される。大径部８３が、環状凸部３１後方の筒体３内壁に前後方向に摺動可能に配置される。可動部材８の中心孔８１を通ってインキがボール４に供給される。
【００５１】
可動部材８は、金属（例えばステンレス鋼）または合成樹脂（例えばポリアセタール樹脂）により形成される。
【００５２】
・第２のボール受け座
可動部材８の前端面には、軸線に対して垂直面からなる第２のボール受け座７が一体に形成される。非筆記状態において、第２のボール受け座７のボール接触部分が、第１のボール受け座６のボール接触部分よりわずかに前方に配置される。それにより、ボール４の前後方向の移動可能量（即ちインキ吐出量の可変範囲）を比較的大きい範囲で精度よく形成できる。第２のボール受け座７（可動部材８の前端面）に、軸心から径方向外方に放射状に延びるインキ誘導溝が一体に形成される構成でもよい。前記インキ誘導溝は、可動部材８に前後方向に貫通する構成でもよい。
【００５３】
第１のボール受け座６の径方向内方には、同心円状に第２のボール受け座７が配置される。
第１のボール受け座６のボール接触部分の直径は、第２のボール受け座７のボール接触部分の直径より大きく設定される。即ち、第２のボール受け座７のボール接触部分の直径は、第１のボール受け座６のボール接触部分の直径より小さく設定される。
【００５４】
・弾発体
弾発体９は、圧縮コイルスプリングからなる。弾発体９の前端は、可動部材８の後端に当接され、弾発体９の後端は、ホルダー１１の内壁に形成された係止壁部１１ａに係止される。弾発体９の前端部及び後端部は、密着巻部となる。なお、係止壁部１１ａは筒体３の内壁に形成されてもよい。
【００５５】
非筆記状態において、弾発体９の弾発力は７０グラム〜９０グラムに設定される。筆記時の紙面に対する筆圧が前記弾発体９の弾発力より小さい場合、ボール４が、第１のボール受け座６に非接触状態且つ第２のボール受け座７に接触状態となる。筆記時の紙面に対する筆圧が前記弾発体９の弾発力より大きい場合、ボール４が、第１のボール受け座６及び第２のボール受け座７の両者に接触状態となる。
【００５６】
・非筆記状態（図６）
非筆記状態において、前端縁部５と第２のボール受け座７との間で、ボール４が前後方向に移動可能である。また、この状態において、可動部材８に対する弾発体９の前方付勢によって可動部材８（大径部８３前面の段部８４）が筒体３内壁の規制壁部３１ａに当接されている。
【００５７】
・比較的弱い筆圧で筆記した場合（図７）
比較的弱い筆圧（弾発体９の弾発力より小さい筆圧：例えば５０グラム）で筆記したとき第２のボール受け座７のみでボール４が支持される。また、この状態において、可動部材８は非筆記状態から後退せず、可動部材８に対する弾発体９の前方付勢によって可動部材８（大径部８３前面の段部８４）が筒体３内壁の規制壁部３１ａに当接されている。このとき、ボール４が前端縁部５から後方にわずかに離間し、ボール４と前端縁部５との間のわずかの隙間から少量のインキが吐出され、細幅の筆跡が得られる。また、このとき、ボール４が前端縁部５から離間するボール４の前後方向の移動量は、ボール直径の２％〜６％に設定される。
【００５８】
・比較的強い筆圧で筆記した場合（図８）
比較的強い筆圧（弾発体９の弾発力より大きい筆圧：例えば１００グラムの筆圧）で筆記したとき、弾発体９の前方付勢に抗してボール４及び可動部材８が後方に移動され、第１のボール受け座６及び第２のボール受け座７の両者でボール４が支持される。また、この状態において、可動部材８（大径部８３前面の段部８４）と筒体３内壁の規制壁部３１ａとが離間される。このとき、ボール４が前端縁部５から後方に大きく離間し、ボール４と前端縁部５との間の大きな隙間からインキが多量に吐出され、太幅の筆跡が得られる。また、このとき、ボール４が前端縁部５から離間するボール４の前後方向の移動量は、ボール直径の１０％〜１４％に設定される。
【００５９】
本実施の形態のボールペン１は、比較的強い筆圧で筆記した際にボールが第１のボール受け座６に支持されボールの後方移動が阻止されるため、可動部材８の後方移動を直接に規制する構成が不要となる。それにより、簡易な構造で、ボールの前後方向の最大移動可能量を精度よく一定に形成することができ、筆圧の大小によるインキ吐出量の可変範囲を精度よく所望範囲に一定に設定できる。その結果、筆記時の筆圧の大小によるインキ吐出量可変性能を十分に満足する適正なインキ吐出性が確実に得られる。
【００６０】
本実施の形態のボールペン１は、ボール受け座が、第１のボール受け座６と第２のボール受け座７とを備えることにより、筆記時のボール４との接触によるボール受け座の磨耗が抑えられ、長期にわたり、適正なボールの前後方向の移動可能量が維持できる。その結果、長期にわたり、筆記時の筆圧の大小によるインキ吐出量可変性能を十分に満足する適正なインキ吐出性が維持できる。
【００６１】
本実施の形態のボールペン１は、第１のボール受け座６の後方の筒体３の内壁に、可動部材８の前方移動を規制する規制壁部３１ａが形成されることにより、可動部材８の前端部（即ち第２のボール受け座７）を、第１のボール受け座６に対する前後方向の適正位置に確実に配置することができる。
【００６２】
本実施の形態のボールペン１は、第１のボール受け座６の径方向内方に同心円状に第２のボール受け座７が前後方向に移動可能に配置され、第２のボール受け座７のボール接触部分の直径が、第１のボール受け座６のボール接触部分の直径より小さく設定されることにより、比較的小さい筆圧で筆記した場合において、ボール４が第２のボール受け座７のみと接触し、ボール４とボール受け座との接触量を比較的大きな筆圧で筆記した場合に比べて小さくでき、その結果、円滑なボール４の回転と安定したボール受け座との接触状態（即ち滑らかな筆記感）が得られる。
【００６３】
本実施の形態のボールペン１は、非筆記状態において、第２のボール受け座７のボール接触部分が、第１のボール受け座６のボール接触部分より前方に配置されることにより、ボール４の前後方向の移動可能量（即ちインキ吐出量の可変範囲）を大きく精度よく形成できる。
【符号の説明】
【００６４】
１  ボールペン
１１  ホルダー
１１ａ  係止壁部
１２  インキ収容筒
２  ボールペンチップ
３  筒体
３１  環状凸部
３１ａ  規制壁部
３１ｂ  内孔
４  ボール
５  前端縁部
６  第１のボール受け座
７  第２のボール受け座
８  可動部材
８１  中心孔
８２  小径部
８３  大径部
８４  段部
９    弾発体
【図１】
2019181810.tif 000003
【図２】
2019181810.tif 000004
【図３】
2019181810.tif 000005
【図４】
2019181810.tif 000006
【図５】
2019181810.tif 000007
【図６】
2019181810.tif 000008
【図７】
2019181810.tif 000009
【図８】
2019181810.tif 000010